(57)【特許請求の範囲】
【請求項１】
一足の履き物の片方が載る大きさの上位載置台及び下位載置台を対にし、上位載置台を、先端部向けに上向き傾斜させて両方の載置台を間隔を採って上下二段に配して基部を結合し、上位載置台の基部に、履き物を位置決めする支持片を突設した金属線材からなる履き物整理用具において、上位載置台及び下位載置台の外枠部を一連に形成し、両方の載置台の基部を結合する縦部材を、両方の載置台の外枠部から一連に曲成した縦杆で形成し、縦部材の外側に後ろ向きに突設した取っ手を、平面視において半円状部を有する曲杆で形成し、該曲杆の平行する左右の水平杆部を縦杆に交差させて固着し、該固着部の前側で左右の水平杆部から下向きに曲成した脚杆部の下端を、対応する下位載置台の外枠部に固着し、また、上位載置台の基部に突設した支持片を、コ字状に曲成した曲杆で形成し、該曲杆の平行する左右の脚杆部の下端を、上位載置台の外枠部に設けた横支持杆に固着し、曲杆の上端部は、側面視において後向きにＬ字状に曲成したことを特徴とする履き物整理用具。
【発明の詳細な説明】
【０００１】
【発明の属する技術分野】
本発明は、一般家庭等において、玄関で脱いだ履き物を片付けるために使用する履き物整理用具に関するものである。
【０００２】
【従来の技術】
一般家庭において、玄関で脱いだ靴等の履き物の片付けは、玄関備え付けの靴箱に収納したり、玄関近くに履き物の片付け場所を指定しておき、ここに移して片付けるようなことは、日常的によく行われている。
【０００３】
【発明が解決しようとする課題】
とかろが、履き物を片付けるために、一足の履き物を単に横に並べて揃えただけでは、平面的な広がりは両方の履き物の大きさのままであるので、このままで片付ける場合は、広いスペースが必要になって靴箱では収納できる履き物の数が減り、玄関近くに指定した履き物の片付け場所では、片付けられる履き物の数が減らされることになる。
【０００４】
そこで、本発明は、広いスペースを必要とせず、靴箱や玄関近くに指定した履き物の片付け場所等の有効利用が図かられる便利な履き物整理用具を提供することを目的としたものである。
【０００５】
【課題を解決するための手段】
上記する目的を達成するために、本発明に係る履き物整理用具は、一足の履き物の片方が載る大きさの上位載置台及び下位載置台を対にし、上位載置台を、先端部向けに上向き傾斜させて両方の載置台を間隔を採って上下二段に配して基部を結合し、上位載置台の基部に、履き物を位置決めする支持片を突設した金属線材からなる履き物整理用具において、上位載置台及び下位載置台の外枠部を一連に形成し、両方の載置台の基部を結合する縦部材を、両方の載置台の外枠部から一連に曲成した縦杆で形成し、縦部材の外側に後ろ向きに突設した取っ手を、平面視において半円状部を有する曲杆で形成し、該曲杆の平行する左右の水平杆部を縦杆に交差させて固着し、該固着部の前側で左右の水平杆部から下向きに曲成した脚杆部の下端を、対応する下位載置台の外枠部に固着し、また、上位載置台の基部に突設した支持片を、コ字状に曲成した曲杆で形成し、該曲杆の平行する左右の脚杆部の下端を、上位載置台の外枠部に設けた横支持杆に固着し、曲杆の上端部は、側面視において後向きにＬ字状に曲成したことを特徴とする。
【０００６】
このように構成された本発明の履き物整理用具によれば、上位載置台と下位載置台の結合部の剛性が高められ、上位載置台及び下位載置台に対し、一足の履き物の片方づつを載せると、両方の履き物は上下二段に重ねる形で載置台上に安定するので、そのまま靴箱に収納するか、または、玄関近くに指定した履き物の片付け場所等に片付けると、履き物整理用具が占有するスペースは、従来のように、一足の履き物が占有するスペースに比べて半減するので、履き物を片付けておく場所の有効利用が図られる。
【０００７】
また、傾斜した上位載置台に載せた履き物は、載置台上で基部側向けに下降傾向を示すが、上位載置台の基部に突設した支持片をなすコ字状に曲成した曲杆の上端部は、側面視において後向きにＬ字状に曲成してあるので、上位載置台に載せられるハイヒール等の踵部は、この曲杆上端部に入り込んで受け止められて位置決めされるので、上位載置台の傾斜が原因で、上位載置台に載せた履き物が不安定になるようなことはない。
【０００８】
【発明の実施の形態】
以下、本発明の実施の形態を図面に基づいて具体的に説明する。
【０００９】
図１は本発明の実施の形態を示す履き物整理用具の斜視図、図２は使用状態を示す履き物整理用具の斜視図である。
【００１０】
図において、１は履き物整理用具を示す。この履き物整理用具１は、一足の履き物Ａの片方が載る大きさの上位載置台２と下位載置台３を対にし、両方の載置台２，３を間隔を採って上下二段に配して基部を縦部材４で結合し、縦部材４の外側に取っ手５を後ろ向きに突設し、上位載置台２の基部には、履き物Ａを位置決めして安定させる支持片６を突設している。
【００１１】
実施の形態では、上位及び下位載置台２，３は、平面視において履き物Ａと略同じ大きさで細長く形成され、上位載置台２は、先端部向けに上向きに傾斜を付けて、上位載置台２と下位載置台３は、先端部側で離間距離を大きくしている。
【００１２】
こうして、図２に示すように、履き物Ａが靴の場合は、下位載置台３には、靴の踵部を先端側に位置させ、上位載置台２には、逆に踵部を基部側に位置させて載せると、全体的に高さのバランスが採れて嵩張りを小さくして取り扱い易くなる。
【００１３】
図１及び図２に示す履き物整理用具１は、金属線材で構成している。ここで、上位及び下位載置台２，３は、金属線材を屈曲して両方の載置台２，３の外枠部２ａ，３ａを一連に形成し、この外枠部２ａ，３ａの基部に横支持杆２ｂ，３ｂを架け渡し、この横支持杆２ｂ，３ｂと外枠部２ａ，３ａの先端部との間に、複数本の縦支持杆２ｃ，３ｃを、外枠部２ａ，３ａに平行して掛け渡してなる。
【００１４】
また、上位及び下位載置台２，３の基部を結合する縦部材４は、両方の載置台２，３の外枠部２ａ，３ａから一連に曲成した縦杆４ａからなる。
【００１５】
また、縦部材４の外側に突設した取っ手５は、平面視において、左右に連続する２つの半円状部５ｂを有する曲杆５ａからなり、この曲杆５ａの平行する左右の水平杆部５ｃを縦杆４ａに交差させて固着し、この固着部の前側で左右の水平杆部５ｃから下向きに脚杆部５ｄを曲成し、この脚杆部５ｄの下端を対応する下位載置台３の外枠部３ａに固着し、上位載置台２と下位載置台３の結合部の剛性を高めている。
【００１６】
また、上位載置台２の基部に突設した支持片６は、コ字状に曲成した曲杆６ａからなり、この曲杆６ａの平行する左右の脚杆部６ｂの下端を、上位載置台２の外枠部２ａに設けた横支持杆２ｂに固着し、曲杆６ａの上端部６ｃは、側面視において後向きにＬ字状に曲成し、この上端部６ｃには、ハイヒール等の踵部を入り込ませて受け止めるようにしている。
【００１７】
なお、図中７は、上位及び下位載置台２，３面に敷置した中敷き板で、実施の形態では、透明な薄い合成樹脂板を使用している。
【００１８】
【発明の効果】
本発明は、以上説明したような形態で実施され、本発明の履き物整理用具によれば、間隔を採って上下二段に配した上位載置台及び下位載置台に対し、一足の履き物の片方づつを載せ、そのまま靴箱に収納するか、または、玄関近くに指定した履き物片付け場所等に移して片付けることにより、履き物整理用具が占有するスペースは、従来のように、一足の履き物が平面的広がりで占有するスペースに比べて半減するので、履き物を片付けておく場所の有効利用が図られる。
【図面の簡単な説明】
【図１】  本発明の実施の形態を示す履き物整理用具の斜視図である。
【図２】  本発明に係る履き物整理用具の使用状態を示す斜視図である。
【符号の説明】
１  履き物整理用具
２  上位載置台
２ａ  外枠部
２ｂ  横支持杆
２ｃ  縦支持杆
３  下位載置台
３ａ  外枠部
３ｂ  横支持杆
３ｃ  縦支持杆
４  縦部材
４ａ  縦杆
５  取っ手
５ａ  曲杆
５ｂ  半円状部
５ｃ  左右水平杆部
５ｄ  脚杆部
６  支持片
６ａ  曲杆
６ｂ  脚杆部
６ｃ  上端部
７  中敷き板
Ａ  履き物
【図１】
0003643356.tif 000002
【図２】
0003643356.tif 000003